(57)【特許請求の範囲】
【請求項１】
フラットベットスキャナにおいて原稿を観察するための装置であって、
定置の原稿支持体（１）と、
走査すべき原稿（２）を照射するための光源（５）、原稿（２）から到来して該原稿（２）の内容により変調された走査光を電気信号に変換するための光電子変換器（７）、ならびに原稿（２）の走査ラインを光電子変換器（７）上に結像するための走査対物レンズ（６）を有する可動の走査ユニット（４）とを具備した、フラットベットスキャナにおいて原稿を観察するための装置において、
原稿支持体（１）の下方に光源（１１）が取付けられており、
走査ユニット（４）に散乱光シート（１２）が固定されており、
走査ユニット（４）が停止位置に動かされた場合、散乱光シート（１２）は、走査ユニット（４）により、原稿支持体（１）の下方で引張られ、
走査ユニット（４）が走査中に原稿支持体（１）にわたって移動される場合、散乱光シート（１２）は、走査ユニット（４）により引き移動されることを特徴とする、原稿観察装置。
【請求項２】
操作ユニット（４）が停止位置にある場合、散乱光シート（１２）がぴんと張った状態にされることを特徴とする、請求項１に記載の装置。
【請求項３】
散乱光シート（１２）は、ばね力によりぴんと張った状態にされることを特徴とする、請求項１又は２に記載の装置。
【請求項４】
散乱光シート（１２）は、重力によりぴんと張った状態にされることを特徴とする、請求項１又は２に記載の装置。
【請求項５】
散乱光シート（１２）は、ばね力により巻取られてぴんと張った状態にされることを特徴とする、請求項１又は２に記載の装置。
【請求項６】
散乱光シート（１２）は、モータ駆動部により巻取られてぴんと張った状態にされることを特徴とする、請求項１又は２に記載の装置。
【発明の詳細な説明】
【０００１】
本発明は、電子再現技術の分野に関し、フラットベットスキャナにおいて原稿を観察するための装置に関するものである。
【０００２】
例えば写真、グラフィックならびに文書などの原稿をピクセル毎に及びライン毎に光電子走査する装置において、走査すべき原稿が電気信号に変換され、該電気信号は次いで、電子再現技術にて処理するために、さらにデジタルデータに変換される。そのような装置は、以下にスキャナとも称する。フラットベットスキャナを問題とする場合には、原稿は扁平な原稿支持体上に配置され、光電子走査ユニットが原稿をピクセルおよびライン毎に走査する。その際、原稿支持体および走査ユニットは相互に相対的に移動する。走査ユニットは実質的に、原稿をライン毎に照射するための光源、原稿から到来する走査光を画像信号に変換するための、例えばホトダイオードライン（ＣＣＤライン）のような光電子変換器、ならびに原稿を光電子変換器上にシャープに結像するため及び種々のサイズの原稿の場合に拡大縮尺率を調整するため乃至種々の走査分解能を調整するための走査対物レンズを具備している。そのようなスキャナは、例えばＤＥ１９５３４３３４から公知である。
【０００３】
固定の原稿支持体および走査ユニットを有するフラットベットスキャナが知られており、該走査ユニットは副走査方向に、すなわち原稿支持体に沿って走査ライン（主走査方向）の方向に対して垂直に移動する。このような構造方式は所謂デスクトップスキャナで典型的である。しかしまた、原稿支持体が固定の走査ユニットに沿って移動する構成もある。
【０００４】
原稿の走査を準備するために、原稿は、一般に透過性の原稿支持体の上に固定されねばならない。このため、固定の際に原稿を観察して正確に配向できるように、原稿支持体が拡散光で照射されることが必要である。これに対し、可動の原稿支持体を有するフラットベットスキャナは、原稿支持体が照明ボックスを介して位置決めされるという解決策を有する。固定の原稿支持体を備えたフラットベットスキャナでは、これまで何ら解決策が知られていなかった。
【０００５】
本発明の課題は、したがって、固定の原稿支持体および可動の走査ユニットを有するフラットベットスキャナのための原稿観察装置を提供することである。
【０００６】
上記課題は本発明により、請求項１の特徴部に記載の構成により解決される。有利な変形実施例および構成が従属請求項に記載されている。
【０００７】
次に、従来の技術および本発明を図を用いて詳細に説明する。
【０００８】
図１は、可動の原稿支持体を有するフラットベットスキャナの従来の技術の原稿観察装置を示す。
【０００９】
図２は、原稿の固定及び観察のための位置における、固定の原稿支持体を有するフラットベットスキャナのための本発明の原稿観察装置を示す。
【００１０】
図３は、走査プロセスの間の本発明の原稿観察装置を示す。
【００１１】
図４は、本発明の原稿観察装置に対する代替的な構造的解決策を示す。
【００１２】
図１に、透過性の可動の原稿支持体（１）を有するフラットベットスキャナにおいて、原稿観察装置に対する公知の解決策が示されており、前記原稿支持体の上に、１つの又は複数の走査すべき原稿（２）が固定されている。走査プロセスの間、原稿支持体（１）は矢印（３）の方向に、固定の走査ユニット（４）を通過して移動する。透過性の原稿（２）は、原稿支持体（１）の上方に配置されている光源（５）により照射される。原稿（２）の画像内容により変調された、原稿を透過した走査光は、走査対物レンズ（６）によって、例えばＣＣＤラインである光電子変換器（７）上に結像される。非透過性の原稿は、原稿支持体の下方に配置されている光源により照射される（図１では、分かりやすくするために図示していない）。その場合、原稿（２）の画像内容により変調されて原稿から反射した走査光は、走査対物レンズ（６）によって、光電子変換器（７）上に結像される。図１に示した原稿の固定及び観察位置では、原稿支持体（１）の下方に、照明ボックス（８）が設けられている。照明ボックス内の光源（９）は下から散乱光プレート（１０）を照射し、これは、照明ボックス（８）の蓋部と一体化されている。散乱光プレート（１０）により光は拡散して散乱され、したがって、透過性の原稿（２）は、原稿支持体を通過して均一に照射される。
【００１３】
原稿支持体（１）が固定であり、走査ユニット（４）が原稿支持体の下方に沿って移動される場合、従来の技術による原稿を観察するための上記解決策は利用できない。なぜならその際、原稿を観察するための照明ボックスが走査ユニット（４）の移動をブロックしてしまうからである。
【００１４】
図２に、固定の原稿支持体（１）および可動の走査ユニット（４）を有するフラットベットスキャナの本発明の原稿観察装置が示されている。走査プロセス中、走査ユニット（４）は、矢印（３）の方向に原稿支持体（１）の下方を移動していく。透過性の原稿（２）が光源（５）により照射され、該光源は原稿支持体（１）の上方に配置されており、走査ユニット（４）と共に移動する。原稿（２）を透過して変調された走査光は、走査対物レンズ（６）により、光電子変換器（７）上に結像される。非透過性の原稿は、原稿支持体の下方に配置されている光源により照射される（図２では、分かりやすくするために図示していない）。
【００１５】
図２に、停止位置における走査ユニット（４）が示されており、ここで、原稿（２）は原稿支持体（１）上に固定できる。原稿を照射するため、１つの又は複数の光源（１１）が原稿支持体（１）の下方に、走査ユニット（４）の移動を妨げないように配置されている。したがって有利には、光源（１１）はフラットベットスキャナの底面に設けられている。走査ユニット（４）の上部エッジに散乱シート（１２）が固定されており、その対向する縁部がフラットベットスキャナの側方に固定されている。これは、走査ユニット（４）の停止位置に対向している。引張りばね（１３）又は別の適当な引張り装置により、走査ユニット（４）が停止位置にある場合、散乱光シート（１２）は原稿支持体（１）の下方で弛みのない状態でぴんと張るようになる。散乱光シート（１２）により、光源（１１）の光は拡散して散乱される。そのため、透過性の原稿（２）は、原稿支持体（１）を通過して均一に照射される。その際、原稿支持体（１）の下方のフラットベットスキャナの自由なスペースは、照明ボックスの機能を有する。
【００１６】
図３に、再び走査プロセス中の本発明の原稿観察装置が示されている。走査ユニット（４）は、矢印（３）の方向に、原稿支持体（１）および原稿（２）の下方に沿って移動する。その際、散乱光シート（１２）は、走査ユニット（４）の移動に伴って原稿支持体（１）の下方で引き移動され、したがって、光源（５）から光電子変換器（７）までの走査光の光路は自由になる。
【００１７】
図４ａ及び図４ｂに、本発明の原稿観察装置のための代替的な解決策が示されている。図４ａの解決策では、散乱光シート（１２）が、バネメカニカル又はモータ駆動部（１４）を用いて巻取られ、ぴんと張った状態にされる。図４ｂの解決策では、散乱光シート（１２）が方向変換ローラ（１５）を介してガイドされ、引張りばね（１６）を用いてぴんと張った状態にされる。引張りばね（１６）の代わりに、散乱光シート（１２）をぴんと張るために重りを用いてもよい。走査ユニットを用いて散乱光シート（１２）を原稿支持体（１）の下方に引張るないし引き移動するような、本発明の基本思想のための別の実施形態、例えば散乱光シート（１２）のガイド及び張力の構造上の形態に対する別の実施形態が考えられる。
【図面の簡単な説明】
【図１】可動の原稿支持体を有するフラットベットスキャナの従来の技術の原稿観察装置を示す。
【図２】原稿の固定及び観察のための位置における、固定の原稿支持体を有するフラットベットスキャナのための本発明の原稿観察装置を示す。
【図３】走査プロセスの間の本発明の原稿観察装置を示す。
【図４】図４ａ及びｂは、本発明の原稿観察装置に対する代替的な構造的解決策を示す。
【図１】
0003602502.tif 000002
【図２】
0003602502.tif 000003
【図３】
0003602502.tif 000004
【図４】
0003602502.tif 000005